(57)【要約】【課題】角度の異なる把持爪を複数種用意することなく、把持アームに対する把持爪の角度調整の作業を容易に行うことができる景品獲得ゲーム機の把持機構を提供すること。【解決手段】調整ビス２１を弛めて把持ブラケット１５を把持アーム１３に対して回動させ、把持爪１８の角度調整後、再度調整用ビス２１を締め付けることにより、把持アーム１３に対する把持爪１８の角度を変更することが可能となる。これによって角度の異なる複数種の把持アームを用意することなく、把持爪アーム１３に対する把持爪１８の角度の変更を容易に行うことができる。【選択図】      図２
0003103968.tif 000002
【実用新案登録請求の範囲】
【請求項１】
移動体に対して互いに近接方向及び離間方向に回動可能に支持された一対の把持アームと、
前記両把持アームの先端部に連結され、景品を把持する一対の把持爪と、
を備えた景品獲得ゲーム機の把持機構において、
前記両把持爪のうち、少なくとも一方の把持爪は、角度変更手段により把持アームに対する角度が変更可能であることを特徴とする景品獲得ゲーム機の把持機構。
【請求項２】
前記角度変更手段は螺合部材を備え、前記把持爪は螺合部材を介して把持アームに連結され、前記把持爪は螺合部材を中心として把持アームに対して回動することを特徴とする請求項１に記載の景品獲得ゲーム機の把持機構。
【考案の詳細な説明】
【技術分野】
【０００１】
本考案は、把持アームにより景品を把持して景品を獲得する景品獲得ゲーム機の把持機構に関するものである。
【背景技術】
【０００２】
従来、景品を把持して所定位置まで搬送することにより景品を獲得するゲーム機、所謂、クレーンゲーム機は、前後左右に移動可能に取り付けられた移動体を操作ボタンにより所望の景品上まで移動させる。すると、移動体から吊下されたキャッチャーが景品位置まで下降し、キャッチャーに設けられた一対の把持アームが閉動作して所望の景品を把持できるようになっている。このとき、把持アームが上手く景品を把持してキャッチャーが所定位置まで景品を搬送することにより、その景品を獲得することができるようになっている。
【考案の開示】
【考案が解決しようとする課題】
【０００３】
前記両アームの先端には、板状のステンレス板等からなる把持爪が取付固定されている。把持アームを閉動作させることにより把持爪により景品が把持される。両把持爪は把持アームに対して所定の角度で折曲されている。この折曲角度を変更することにより景品を把持する難易度（景品を獲得する難易度）が変化する。
しかし、上記従来の景品獲得ゲーム機には次のような問題があった。
把持爪の折曲角度を変更する際は、ゲーム機を設置している係員がペンチ等を使用して把持爪に外力を加えて強制的に折り曲げて行っていた。そのため、繰り返し回把持爪の折曲角度を何度も変更した際には、把持爪の金属疲労により折曲部位から把持爪が切断するおそれがあった。
また、把持爪はステンレス等の金属製のものが使用されていることから、把持爪を折曲するには強い力を付与して折り曲げる必要があるため、女性の係員等、力の弱い係員の人たちには把持爪の折曲作業が難しいという問題があった。
上記問題を解消するために、把持アームに対して角度の異なる複数種の把持爪を用意し、それらの把持爪を取替交換することで簡単にアームに対する把持爪の角度を変更することも考えられるが、把持爪を複数用意することからコスト的な問題や把持爪を保管する場所の確保が必要になるという問題がある。
本考案は、このような従来の技術に存在する問題点に着目してなされたものである。その目的とするところは、角度の異なる把持爪を複数種用意することなく、把持アームに対する把持爪の角度調整の作業を容易に行うことができる景品獲得ゲーム機の把持機構を提供することにある。
【課題を解決するための手段】
【０００４】
上記の目的を達成するために請求項１の考案では、移動体に対して互いに近接方向及び離間方向に回動可能に支持された一対の把持アームと、前記両把持アームの先端部に連結され、景品を把持する一対の把持爪とを備えた景品獲得ゲーム機の把持機構において、前記両把持爪のうち、少なくとも一方の把持爪は、角度変更手段により把持アームに対する角度が変更可能であることをその要旨とする。
請求項２に記載の考案では、請求項１に記載の考案の構成に加え、前記角度変更手段は螺合部材を備え、前記把持爪は螺合部材を介して把持アームに連結され、前記把持爪は螺合部材を中心として把持アームに対して回動することをその要旨とする。
【０００５】
（作用）
請求項１の考案においては、角度変更手段により把持アームに対する把持爪の角度が変更される。
請求項２の考案においては、請求項１に記載の考案の作用に加え、把持アームに対する把持爪の角度の変更は、螺合部材を中心として把持爪を把持アームに対して回動させることにより行われる。
【考案の効果】
【０００６】
上記各請求項の考案では、角度の異なる複数種の把持アームを用意することなく、把持爪アームに対する把持爪の角度の変更を容易に行うことができるという優れた効果を奏する。
【考案を実施するための最良の形態】
【０００７】
以下、本考案の液体用容器を具体化した実施の形態を図面に基づいて説明する。
図１に示すように、移動体としてのキャッチャー１１は図示しない吊下部材に吊下され、景品Ｐが配置された景品獲得エリアＡ内において前後左右及び上下方向に移動可能となっている。前記キャッチャー１１内にギア部材等からなる駆動機構１２が内蔵されている。また、キャッチャー１１にはＬ字状の左右一対の把持アーム１３が突出した状態で設けられている。把持アーム１３は前記駆動機構１２を介してキャッチャー１１に対して開方向と閉方向に回動するようになっている。
図２及び図３に示すように、前記把持アーム１３は断面略逆「Ｕ」字状に形成され、一対の支持面１３ａと、両支持面１３ａの上部において両支持面１３ａを連結する連結面１３ｂとより構成されている。両支持面１３ａの先端部の上面は前記連結面１３ｂが切り欠かれた切り欠き部１３ｃとなっている。前記切り欠き部１３ｃの下方における両支持面１３ａの部位には、連結孔１４がそれぞれ貫通形成されている。
角度変更手段を構成する把持ブラケット１５は断面略逆「Ｕ」字状に形成され、一対の規制面１５ａ、両規制面１５ａを連結する固定面１５ｂより構成されている。前記両規制面１５ａには調整用ネジ孔１６がそれぞれ形成されている。また、前記固定面１５ｂには２つの固定用ネジ孔１７が形成されている。
把持爪１８はステンレス板等の金属プレートを折曲形成して形成され、ベース部１８ａと把持部１８ｂとより構成されている。ベース部１８ａには前記把持ブラケット１５の固定用ネジ孔１７と同間隔で開口された固定孔１９が形成されている。前記ベース部１８ａに対して把持部１８ｂは所定角度を持って折曲形成されている。
【０００８】
図１〜図３に示すように、前記把持ブラケット１５の固定面１５ｂの上面には把持爪１８のベース部１８ａが重ねられ、固定用ビス２０が固定孔１９を通過して把持ブラケット１５の固定用ネジ孔１７に螺合されることにより、把持爪１８が把持ブラケット１５に対して締付固定されている。また、把持ブラケット１５は把持アーム１３の支持面１３ａ間に挟持され、螺合部材としての調整用ビス２１が支持面１３ａの連結孔１４を通過して把持ブラケット１５の調整用ネジ孔１６に螺合されている。調整用ビス２１が調整用ネジ孔１６に螺合されることにより把持ブラケット１５が把持アーム１３に締付固定されている。
次に、本実施の形態の作用について説明する。
まず、図３（ａ）に示すように、把持爪１８の把持部１８ｂと把持アーム１３の連結面１３ｂとの間の角度θは約１５０°であり、この角度θを変更したい場合には、ドライバー等の工具を使用して２つの調整用ビス２１を弛める。調整用ビス２１を弛めることにより、把持ブラケット１５が調整用ビス２１を中心として把持アーム１３に対して回動可能となる。この状態で把持ブラケット１５を回動させて把持アーム１３に対して把持爪１８が所望の角度θとなるようにする。所望の角度θまで把持ブラケット１５を回動させたら調整用ビス２１を締め付けて把持ブラケット１５の回動を規制する。このように、調整ビス２１を弛めて把持ブラケット１５を把持アーム１３に対して回動させ、把持爪１８の角度調整後、再度調整用ビス２１を締め付けることにより、図３（ａ）〜（ｃ）に示すように、把持アーム１３に対する把持爪１８の角度を変更することが可能となる。
【０００９】
上記のように構成することで本実施の形態では次のような効果を奏する。
（１）調整用ビス２１を弛めて把持ブラケット１５を回動させた後、調整用ビス２１を締め付けるだけで、把持アーム１３に対する把持爪１８の角度変更を行うことができるようにした。これにより、把持爪１８をペンチ等により外力を加えて強制的に折り曲げることなく、把持アーム１３に対する把持爪１８の角度の変更ができるので、把持爪１８の金属疲労による切断を防止できる。
（２）把持アーム１３に対する把持ブラケット１５の角度変更だけで、把持アーム１３に対する把持爪１８の角度変更ができるので、把持アーム１３に対して角度の異なる複数種の把持爪１８を用意する必要がなくなり、コスト的な問題や把持爪１８の保管場所等の問題も解消できる。
【００１０】
尚、この考案は、次のように変更して具体化することも可能である。
・把持ブラケット１５と把持爪１８を一体形成して具体化してもよい。
・把持ブラケット１５の規制面１５ａに目盛りを設けて、角度変更時の目安としてもよい。
・上記実施の形態では、両把持アーム１３に対する把持爪１８の角度を変更できるようにしたが、いずれか一方のみの把持アーム１３に対する把持爪１８を角度変更するようにしてもよい。
・その他、プラスチックの材質は不問である等本考案の趣旨を逸脱しない態様で実施することは自由である。
【図面の簡単な説明】
【００１１】
【図１】本考案の実施の形態のキャッチャー及び把持アーム等の正面図。
【図２】把持アーム、把持爪の分解斜視図。
【図３】把持アームに対する把持爪の角度が異なった把持アーム及び把持爪の断面図。
【符号の説明】
【００１２】
１１…キャッチャー、１３…把持アーム、１５…角度変更手段を構成する把持ブラケット、１８…把持爪、２１…角度変更手段及び螺合部材としての調整用ビス、Ｐ…景品。
【図１】
0003103968.tif 000003
【図２】
0003103968.tif 000004
【図３】
0003103968.tif 000005